(57)【要約】 【課題】  本発明は、従前のＯ−リング測定具の問題点であったａ．作用点と支点の位置を親指とその他の指でつくるＯ−リング内に位置させる、ｂ．被験者の手に馴染みやすい形状とする、ｃ．被験者にリラックスした状態での検査を実現する、ｄ．小型で安価な測定具とする、等を実現したＯ−リング測定具を提供することを目的とする。【解決手段】  長手方向に円弧状を呈し、凹面側の一端に部分ギア部を配設し、他端の凸面側に複数の滑り止めを配設し、凹面側の長手方向中程にバネ固定用の突起を有する一対のアームと、前記一対のアームを回動自在に軸支する２つの軸を配設し、先端に前記アームの全開位置を規制する位置決めを有する一対のプレートと、前記一対のアームを開方向に付勢する圧縮バネとを有するＯ−リング測定具とし、前記一対のアームのギア部は凹面側を対向させた噛み合い構成で、回動の支点となりアームの開閉を行うように構成する。【選択図】  図１
2007105344.tif 000002
【特許請求の範囲】
【請求項１】
長手方向に円弧状を呈し、凹面側の一端に部分ギア部を配設し、他端の凸面側に複数の滑り止めを配設し、凹面側の長手方向中程にバネ固定用の突起を有する一対のアームと、前記一対のアームを回動自在に軸支する２つの軸を配設し、先端に前記アームの全開位置を規制する位置決めを有する一対のプレートと、前記一対のアームを開方向に付勢する圧縮バネとを有するＯ−リング測定具において、前記一対のアームのギア部は凹面側を対向させた噛み合い構成で、回動の支点となりアームの開閉を行うことを特徴とするＯ−リング測定具。
【請求項２】
前記一対のプレートには、アームの開度を規定する測定子を配設してなることを特徴とする請求項１記載のＯ−リング測定具。
【請求項３】
長手方向に円弧状を呈し、凹面側の一端に部分ギア部を配設し、他端の凸面側にリブ状ならびに円弧状の複数の滑り止めを配設し、凹面側の長手方向中程にバネ固定用の突起を有する一対のアームと、前記一対のアームを回動自在に軸支する２つの軸を配設し、先端に前記アームの全開位置を規制する位置決めを有する一対のプレートと、前記一対のアームを開方向に付勢する圧縮バネとを有するＯ−リング測定具において、親指とその他の指でつくるＯ−リングで覆われる略高さ６５ｍｍ、横６２ｍｍ、厚み２８ｍｍに収まる大きさであることを特徴とするＯ−リング測定具。
【請求項４】
前記、一対のアームならびに一対のプレートは、おのおの同一形状であることを特徴とする請求項１乃至３記載のＯ−リング測定具。
【発明の詳細な説明】
【技術分野】
【０００１】
本発明は、被験者の親指とその他の指一本でつくるＯ−リングの維持力（開く力）の測定具に関する。
【背景技術】
【０００２】
「生体そのものが極めて敏感なセンサーで、毒物を近づけたり、体に合わない薬剤を手に持ったりすると、筋の緊張は低下し、逆に有効な薬剤では緊張が良好に保たれる」、さらには、「体の異常のある部位に微かな刺激を与えるだけで指の力が弱まる」、「ある臓器に、その臓器がコントロールする物質や分泌物、あるいは臓器と共通する因子を近づけた場合も、指の力が著しく変化する」ことが明らかになり、Ｏ−リングテストとして、日本人医師  大村恵照博士の１９７７年ころの考案、ならびに１９８１年の最初の論文が発表されて以来、「日本バイ・デジタルＯ−リングテスト協会」（ホームページhttp://bdort.net/as/gaiyou.htm）が設立され、全国でＯ−リングテストでの診察を行う認定医が３５を超える状況にある。
【０００３】
この状況下、Ｏ−リングテストを行う医者（以下、検査者と称す）には非常な熟練を要する点が難問となっていた。そこで、本願発明者は、検査者の熟練を要さず、Ｏ−リング維持力を数値で把握できるものとして発明した特開２００５−１３２４７「Ｏ−リング測定具」（特許文献１）を提供しているが、次の点で、実用に際しての不具合を持っていた。図７ａ）にその代表図を示す。また、Ｏ−リング測定具を使用しない状態でのＯ−リングテストの実施態様を図７ｂ）に参考図として示す。
【特許文献１】特開２００５−１３２４７
【０００４】
特許文献１では、Ｏ−リング測定具としては当初の狙いどおり、検査者の熟練を要する点は改良され、負担軽減されたが、親指とその他の指１本でＯ−リング測定具を閉じる状態で検査を行うために、患者（以下、被験者と称す。）に対して、Ｏ−リング測定具を安定して把持力を維持するための大きな負担を強いる結果となり、被験者がＯ−リング測定具に神経が行き過ぎ、リラックスした状態での検査の遂行が難しい状況となっていた。また、図７ａ）のように親指とその他の指１本の力の作用点と支点（図７ａ）の一対の挟持部材の中間点の重畳部分）との距離が大きく、挟持部材に曲げ応力の負荷が増大し、寿命の点で問題となることがあった。さらには、全体として、形状が大きく、被験者の手に馴染まないとの不満が出ることがあった。
【発明の開示】
【発明が解決しようとする課題】
【０００５】
本発明は、上述のＯ−リング測定具の問題点であるａ．作用点と支点の位置を親指とその他の指でつくるＯ−リング内に位置させる、ｂ．被験者の手に馴染みやすい形状とする、ｃ．被験者にリラックスした状態での検査を実現する、ｄ．小型で安価な測定具とする、等を実現したＯ−リング測定具を提供することを目的としている。
【発明の効果】
【０００６】
本発明の実施例の一つであるＯ−リング測定具によると、全体の大きさが、高さ６５ｍｍ、横６２ｍｍ、厚みが２８ｍｍと非常に小型であり、親指とその他の指１本の力の作用点と支点が、ともに親指とその他の指１本がつくるＯ−リング内にあるために、安定した状態でのＯ−リングテストが実施できる。また、Ｏ−リング測定具が被験者の親指とその他の指１本がつくるＯ−リング内に全て納まる寸法、形状であるため、被験者の手に馴染みやすい測定具となっている。レバーの先端においてはギアによる回転する支点とし、ギアの歯は噛み合いが円滑となるように、歯の半分を１／２ピッチずらした歯の構成とすることで、滑らかな支点動作が実現でき、被験者に対する馴染みをより一層向上させている。さらに、プレート、アームの各表裏を同一形状とし、軸部の全てをプレートおよびアームに一体化し、積み上げ方式での組立が容易な形状とすることで、安価に提供できるように工夫している。
【課題を解決するための手段】
【０００７】
前記課題を解決するために、一つの本発明は、長手方向に円弧状を呈し、凹面側の一端に部分ギア部を配設し、他端の凸面側にリブ状ならびに円弧状の複数の滑り止めを配設し、凹面側の長手方向中程にバネ固定用の突起を有する一対のアームと、前記一対のアームを回動自在に軸支する２つの軸を配設し、先端に前記アームの全開位置を規制する位置決めを有する一対のプレートと、前記一対のアームを開方向に付勢する圧縮バネとを有するＯ−リング測定具とし、前記一対のアームのギア部は凹面側を対向させた噛み合い構成で、回動の支点となりアームの開閉を行うように構成する。
【０００８】
２番目の発明は、前記一対のプレートには、アームの開度を規定する測定子を配設するように構成したＯ−リング測定具とする。
【０００９】
３番目の発明は、前記一対のアームで、開度が大のときは指に加わる開方向の付勢力が大きく、開度が小となるに従い、指に加わる開方向の付勢力が小となるＯ−リング測定具とする。
【００１０】
４番目の発明は、長手方向に円弧状を呈し、凹面側の一端に部分ギア部を配設し、他端の凸面側にリブ状ならびに円弧状の複数の滑り止めを配設し、凹面側の長手方向中程にバネ固定用の突起を有する一対のアームと、前記一対のアームを回動自在に軸支する２つの軸を配設し、先端に前記アームの全開位置を規制する位置決めを有する一対のプレートと、前記一対のアームを開方向に付勢する圧縮バネとを有するＯ−リング測定具とし、親指とその他の指でつくるＯ−リングで覆われる略高さ６５ｍｍ、横６２ｍｍ、厚み２８ｍｍに収まる大きさのＯ−リング測定具とする。
【００１１】
５番目の発明は、前記、一対のアームならびに一対のプレートが、おのおの同一形状で構成されるＯ−リング測定具とする。
【発明を実施するための最良の形態】
【００１２】
本発明の実施例の一つであるＯ−リング測定具は、図１ｃ）に示すように、親指とその他の指でＯ−リング測定具を「閉」の方向に力を加えて、あたかもＯ−リングを作ったかのような状態で所定の位置に保持し、（この図では、親指と人差し指であるが）、一例として、「体の異常のある部位に微かな刺激を与えるだけで指の力が弱まる」ことを利用して身体の各つぼを刺激し、このＯ−リングが「開」となる身体のつぼを見つけ出し、異常がある臓器を探し当てるものである。
【００１３】
Ｏ−リング測定具の形態は、長手方向に円弧状を呈し、凸面側の一端にリブ状ならびに円弧状の複数の滑り止め等を施し、凹面側の他端に、軸支され回動自在とするための軸穴を持ち、その軸穴外周部の凹面側の一部に回動のためのギア部を有し、凹面側の長手方向中程に圧縮バネを固定するバネ支持部とを有する２つのアームと、２つのアームの凹面側の長手方向中程のバネ支持部に、アームを「開」方向に付勢する圧縮バネを渡して組合せ、アームを支持する２つの軸部を持ったプレートにアームのギア部を噛み合わせて組立て、さらにその上から、もう一つのプレートの２つの軸部を前記２つのアームに組み合わせて固定し、プレートを外側から２つのボルト、ナットで固定する形態である。
【００１４】
アームは、一端の凸面側に設けるリブ状ならびに円弧状の複数の滑り止めを、アーム全体の略半分程度を覆うように配設し、指の腹との密着度を増し、指の把持力を増すような形状としている。ギア部を配設したアームの先端部にはストッパを設けており、ギア部の回動の「全開」位置を規制するように工夫している。また、アーム凹面側の長手方向中程のバネ支持部は、圧縮バネを固定するために、その形状を十字状ボスとしているが、バネの位置規制ができれば、形状は丸、矩形のいずれでもよい。２つのアームは、全く同一形状に構成されており、材質は強度を維持できる材料であれば軽金属（アルミ等）等でもよいが、被験者に冷たい等の感覚を与えないためには、エンジニアリングプラスチック等が望ましい。
【００１５】
２つのアームの軸穴外周部の凹面側の一部にある回動のためのギア部を対向して噛み合わせてＯ−リング測定具の支点とすることは、噛み合い始めの時は、アームの先端に近い部分で噛み合い、「閉」方向に指の力を加えた時は、ギア部の噛み合いがアーム先端より内側に移動することで、アームが長手方向に円弧状を呈していることもあり、「閉」方向にＯ−リング測定具を閉じていくと、アーム自体が親指とその他の指の付け根に密着する方向に力が作用し、被験者になじみ易い測定具を提供できることになる。
【００１６】
プレートは、表面にアームの「閉度」を示す測定子を配設し、内側に２つのアームの軸穴を軸支する軸部と、２つのアームを両側から挟み込んで組み立てるときの２つのプレート間の位置決めボスおよび固定ボスを配設して構成されている。位置決めボスおよび固定ボスは、端面にダボとダボ穴を一対にして配設し、２つのプレートを組み合わせたときに、お互いのダボとダボ穴が組み合うように構成されている。さらに、位置決めボスの内側には、２つのアームの爪部が突き当てられ、アームの「全開」位置を規制するように工夫している。２つのプレートは全く同一形状で構成されており、材質は強度を維持できる材料であれば軽金属（アルミ等）等でもよいが、被験者に冷たい等の感覚を与えないためには、エンジニアリングプラスチック等が望ましい。
【００１７】
プレートの表面に配設する「閉度」を示す測定子は、プレートと一体で形成され、その目盛りは、圧縮バネの変形度に合せた目盛りとして、「閉度」が小さいときは、目盛りを粗く、「閉度」が大きいときは目盛りを細かく配設している。これは、同じ１目盛りであっても、圧縮バネの変形量が大きい時と小さい時とでは、単位変形量当りの応力が異なるためである。
【００１８】
２つのアームの凹面側の長手方向中程のバネ支持部は、アームを「開」方向に付勢するものとしては、圧縮バネであれば板バネ等でもよいが、その場合にはバネ支持部への固定あるいは位置決めに別部材が必要となることを考慮すると、アームと一体形成された位置決めボスで容易に固定できるコイルバネが望ましい。  
【００１９】
２つのプレートを最終的に固定するボルト、ナットについては、耐食性のあるステンレス製が望ましいが、一般的なボルト、ナットでもよい。ただ、ナットについては、プレートがプラスチック製の可能性が高いため、ナットを締め付けるときのプレートとの齧りを想定し、ナイロンブッシュ付のナットが望ましい。
【００２０】
以上のようなＯ−リング測定具の構成により、Ｏ−リング測定具使用時の作用点と支点の位置を親指とその他の指でつくるＯ−リング内に位置させ、親指とその他の指でＯ−リング測定具のアームを閉動作させると、アームが長手方向に円弧状を呈していることもあり、アームが親指とその他の指の付け根に密着するような動きを行い、被験者に馴染みやすいものとなる、また、被験者は親指とその他の指で安定感のある保持ができるため、リラックスした状態での検査を実施することができる。また、一対のアームおよびプレート等を同一形状とし、軸穴、ギア部、バネ支持部、爪部等を一体形成し、位置決めボス等での固定により、小型で安価なＯ−リング測定具を提供することができる。
【実施例１】
【００２１】
実施例１としてＯ−リング測定具の構成を図１に示す。図１ａ）は、Ｏ−リング測定具に何ら力を加えない「開」の状態、図１ｂ）はＯ−リング測定具を「全閉」としたときの状態を示し、内部構造を見えるようにするために、プレートの下半分を破断面として表示している。
【００２２】
一端の凸面側に、リブ状ならびに円弧状の複数の滑り止め１ｅ、２ｅを施し、他端に軸支され回動自在とするための軸穴１ａ、２ａを持ち、その軸穴1ａ、２ａ外周部の凹面側の一部に回動のためのギア部１ｂ、２ｂを有し、長手方向の凹面側中程に圧縮バネ５を固定するバネ支持部１ｃ、２ｃとを有する２つのアーム１、２と、２つのアーム１、２の長手方向の凹面側中程に圧縮バネ５を固定するバネ支持部１ｃ、２ｃに、アーム１、２を「開」方向に付勢する圧縮バネ５を渡して組合せ、アーム１、２を支持する２つの軸部３ｄを持ったプレート３にアーム１、２のギア部１ｂ、２ｂを対向させ噛み合わせて組立て、さらにその上から、もう一つのプレート４の２つの軸部４ｄを上記２つのアーム１、２に組み合わせて固定し、プレート３、４を外側から２組のナット６、ボルト７で固定する形態である。全体の形状は、縦６５ｍｍ、横６２ｍｍ、厚み２８ｍｍの親指とその他の指に充分把持できるコンパクトなＯ−リング測定具が実現できた。
【００２３】
アーム１、２およびプレート３、４の単品についての説明は、アーム１およびプレート３で代表し、組合せの説明に際しては各々の符号を列記することとする。
【００２４】
図２にアーム１の具体的な構成を示す。アーム１は、一端の凸面側に設けるリブ状の滑り止め１ｅは、アーム１の凸面側の全体の略半分程度を覆うように配設し、さらに、指の腹との密着度を増すために、外側に向けてわずかな凹部となるような弧を複数持つ形状としている。ギア部１ｂを配設したアーム１先端部にはストッパ１ｄを設けており、ギア部１ｂ、２ｂの回動の「全開」位置を規制するように工夫している。また、アーム１の凹面側の長手方向中程のバネ支持部１ｃは、圧縮バネ５を固定するために、その形状を十字状ボスとしている。材質は、被験者に冷たい等の感覚を与えないためにエンジニアリングプラスチックを使用している。
【００２５】
アーム１の大きさは、縦６４ｍｍ、横１９ｍｍ、厚み１３ｍｍであり、軽量化を図るために、強度低下をきたさない程度の肉盗みを適宜実施している。
【００２６】
アーム１のギア部１ｂは、ピッチ円１２．８ｍｍ、外形１４．４ｍｍ、ギアモジュール０．８、歯数１６、角度ピッチ２２．５°のギアを使用している。また、図５のギア部１ｂのように、ギア部１ｂの幅の１／２（半ピッチ）ずらした２段歯の構成とし、回動を滑らかとなるようにした。
【００２７】
図３にプレート３の具体的な構成を示す。プレート３は、表面にアーム１、２の「閉度」を示す測定子３ｅを配設し、内側にアーム１、２の軸穴１ａ、２ａを軸支する２つの軸部３ｄと、２つのアーム１、２を両側から挟み込んで組み立てるときの２つのプレート３、４間の位置決めを行うボス３ａと固定ボス３ｂを配設して構成されている。位置決めボス３ａおよび固定ボス３ｂは、端面にダボとダボ穴を一対にして配設し、２つのプレート３、４を組み合わせたときに、お互いのダボとダボ穴が組み合うように構成されている。さらに、位置決めボス３ａ、４ａの内側には、２つのアーム１、２の爪部１ｄ、２ｄが突き当てられ、アーム１、２の「全開」位置を規制するように工夫している。２つのプレート３、４は全く同一形状で構成し、図４に示すように、２つのプレート３、４の真中の突き当て構造をとっている。材質は、被験者に冷たい等の感覚を与えないためにエンジニアリングプラスチックを使用している。プレートの大きさは、縦４１ｍｍ、横３４ｍｍ、厚み１５であり、軽量化を図るために、強度低下をきたさない程度の肉盗みを適宜実施している。
【００２８】
プレート３の表面に配設する「閉度」を示す測定子３ｅは、プレート３と一体で浮き出しで形成し、その目盛りは、圧縮バネの変形度に合せた目盛りとして、「閉度」が小さい、いわゆる「開度」が大きいとき（端部の方向）は目盛りを細かく、「閉度」が大きい（中心方向）ときは目盛りを大きくし、指力の大きい人から小さい人にまで対応できるように配慮している。
【００２９】
アーム１、２を「開」方向に付勢する圧縮バネ５は、コイルバネの圧縮バネを採用し、アーム１、２のバネ支持部１ｃ、２ｃに軽く取り付けできるような勘合とした。  
【００３０】
２つのプレートを最終的に固定するナット６、ボルト７については、耐食性のあるステンレス製で、ナイロンブッシュ付ナットとした。
【００３１】
以上のようなＯ−リング測定具の構成により、Ｏ−リング測定具使用時の作用点と支点の位置を親指とその他の指でつくるＯ−リング内に位置させ、親指とその他の指でＯ−リング測定具のアーム１、２を閉動作させると、アームが長手方向の内側に円弧状を呈していることもあり、アーム１、２が親指とその他の指の付け根に密着するような動きを行い、被験者に馴染みやすいものとなる、また、被験者は親指とその他の指で安定感のある保持ができるため、リラックスした状態での検査を実施することができる。また、一対のアーム１、２およびプレート３、４等を同一形状とし、軸穴１ａ、２ａ、ギア部１ｂ、２ｂ、バネ支持部１ｃ、２ｃ、爪部１ｄ、２ｄ、等‥を一体形成し、位置決めボス３ａ、４ａ、固定ボス３ｂ、４ｂ等での固定により、小型で安価なＯ−リング測定具を実現できた。
【実施例２】
【００３２】
実施例２は図示しないが、圧縮バネ５の形状を変更した例である。図６に示すバネに代えることができる。その場合は、アーム１のバネ支持部の形状を部分的に変更することが必要ではあるが、上記実施例１と同様のＯ−リング測定具を達成することができる。
【実施例３】
【００３３】
実施例３は図示しないが、Ｏ−リング測定具とは全く別の用途に本Ｏ−リング測定具を利用することができる。骨折等手指の障害により長期間にわたり手指を使用できない場合のリハビリテーションに関する。本発明のＯ−リング測定具は、親指とその他の指に適合する大きさであり、また、「閉」動作を行うことは、手指部分のリハビリテーションに適する構造である。手指等のリハビリテーションに対しては、適切な器具がなく、患者が思い思いに試行錯誤してリハビリテーションを行っているのが実情であり、本発明は手指のリハビリテーション器具としての利用が可能である。
また、指を頻繁に利用することは認知症の防止や改善に役立つことも知られている。この分野での利用も可能である。
【図面の簡単な説明】
【００３４】
【図１】本発明の実施の形態に係るＯ−リング測定具の概略ならびに動作図である。
【図２】本発明の実施の形態に係るＯ−リング測定具のアームの構造図である。
【図３】本発明の実施の形態に係るＯ−リング測定具のカバーの構造図である。
【図４】本発明の実施の形態に係るＯ−リング測定具のアームならびにカバーの軸支の断面図である。
【図５】本発明の実施の形態に係るＯ−リング測定具のアームのギア部の構造図である。
【図６】その他の実施例に係る付勢バネの構造である。
【図７】従来技術としてのＯ−リング測定具の概要図である。
【符号の説明】
【００３５】
１、２        アーム
１ａ、２ａ    軸穴
１ｂ、２ｂ    ギア部
１ｃ、２ｃ    バネ支持部
１ｄ、２ｄ    爪部
１ｅ、２ｅ    滑り止め  
３、  ４      プレート
３ａ、４ａ    位置決めボス
３ｂ、４ｂ    固定ボス
３ｃ、４ｃ    ストッパ
３ｄ、４ｄ    軸部
３ｅ、４ｅ    測定子
５            圧縮バネ
６            ナット
７            ボルト
【図１】
2007105344.tif 000003
【図２】
2007105344.tif 000004
【図３】
2007105344.tif 000005
【図４】
2007105344.tif 000006
【図５】
2007105344.tif 000007
【図６】
2007105344.tif 000008
【図７】
2007105344.tif 000009